(57)【要約】      （修正有）【課題】指の大きさ、太さ、平たさ、爪の長さや手袋等の影響により静電容量方式タッチパネルの入力操作が困難な人が容易に静電容量方式タッチパネルの文字入力をする事が出来る静電容量方式タッチパネル用のリング型入力装置を提供する。【解決手段】静電容量方式タッチパネル用入力装置は、リング形状のものとし、伸縮性に優れ、かつ導電性のある金属製のリング１であり、さらにそのリングの一部に導電性の金属繊維製の半球突起物２を付けた形状となっている。半球突起物２がリング１に接着される部分け伸縮しない素材を用いる。リング１の幅は５ｍｍ〜１０ｍｍで成型されることが好ましい。この幅を保つことにより、入力操作時の導電性が最適に確保される。また、半球突起物２は半径５ｍｍで成型されることが好ましい。これにより静電容量方式タッチパネル６との接触面積を最適なものとすることができる。【選択図】図５
0003182584.tif 000002
【実用新案登録請求の範囲】
【請求項１】
伸縮性に優れ、かつ導電性の金属製リングであり、当該リングの一部に導電性の金属繊維製の半球の突起物を付けたことを特徴とする静電容量方式タッチパネル用入力装置。
【請求項２】
上記金属繊維製の半球の突起物が半径５ｍｍで成型されていることを特徴とする請求項１に記載の静電容量方式タッチパネル用入力装置。
【請求項３】
上記金属製リングは、幅５ｍｍ〜１０ｍｍで成型されていることを特徴とする請求項１または２に記載の静電容量方式タッチパネル用入力装置。
【考案の詳細な説明】
【技術分野】
【０００１】  本考案は、静電容量方式タッチパネルを操作する際に用いる入力装置に関するものである。
【背景技術】
【０００２】  従来は、液晶タッチパネル用指サック（特許文献１参照）や、タッチパネル用手袋（特許文献２参照）等があったが、これらは指全体を被ってしまうので、指が平らな人、指が太い人、爪が長い人にとって、平面な画面の細かい入力操作が困難であった。【０００３】
【先行技術文献】
【特許文献】
【０００４】
【特許文献１】実用新案登録第３１７０７２４号
【特許文献２】実用新案登録第３１７１２５０号
【考案の概要】
【考案が解決しようとする課題】
【０００５】  しかしながら、上記従来のタッチパネル用手袋や指サックは、元から指が細い人ではないと使用しにくい。タッチパネル用手袋や指サックでは、接触面積が広いので、指が太い人、指が平らな人、あるいは爪が長い人が、入力操作を行う際、反応が悪かったり、誤操作をしてしまったりすることにより使用上の不都合が生じていた。【０００６】  本考案は、指が平らでも、太くても、爪が長くても、手袋をしていても、どのような指の形状・状態でも容易に静電容量方式タッチパネルの入力操作を可能とする入力装置を提供することを目的とする。
【課題を解決するための手段】
【０００７】  本考案の静電容量方式タッチパネル用入力装置は、リング形状のものとし、伸縮性に優れ、かつ導電性の金属製リングであり、さらにそのリングの一部に導電性の金属繊維製の半球の突起物を付ける。当該リングの幅は５ｍｍ〜１０ｍｍで成型されることが好ましい。この幅を保つことにより、入力操作時の導電性が最適に確保される。また、当該半球突起物は半径５ｍｍで成型されることが好ましい。これにより静電容量方式タッチパネルとの接触面積を最適なものとすることができる。当該リングを指の第一関節手前にはめる事によって、静電容量方式タッチパネルとの接触面積は半径５ｍｍ程の半球突起物の範囲に限定され、入力ミスを防ぐことができる。以上を特徴とする静電容量方式タッチパネル用入力装置とした。
【考案の効果】
【０００８】  本考案の静電容量方式タッチパネル用リングは、伸縮性のある構造とすることで、使わないときは親指の根元に移動させ装飾品として扱えるため邪魔にはならず、指全体が覆われる事はないのでほかの作業に支障もない。使用時に、指の第一関節手前にずらすことで有効に使用できる。また、静電容量方式タッチパネル用指輪を通常の手袋の上からはめる事で静電容量方式タッチパネル用手袋と同じ効果を得ながら、静電容量方式タッチパネルとの接触面積は半径５ｍｍ程の半球に限定されるので、ピンポイントで文字入力が可能になる。親指につければ、従来のタッチペンでは操作困難なスマートフォン（静電容量方式タッチパネル式携帯端末）を持ちながらの片手での入力・使用が可能になる。さらにリングによる機械的な締め付けにより、指とタッチパネル間の距離が安定的になり、二者間の静電容量が大きくなるので手袋をつけていたとしても静電容量の変化を検出するタッチパネルの操作性が向上する。またタッチペンと異なり、常時締め付けられているため、安定的な操作が可能になる。さらにリングは、伸縮性に優れているので、様々な形の指、長爪、手袋でも、静電容量方式タッチパネルの入力操作は容易になる。
【図面の簡単な説明】
【０００９】
【図１】図１は、本考案の実施形態に係る斜視図である。
【図２】図２は、本考案の実施形態に係る側面図である。
【図３】図３は、本考案のリングを装着した状態を示す説明図である。
【図４】図４は、本考案のリングを手袋の上から装着した状態を示す説明図である。
【図５】図５は、本考案のリングの使用状態を示す説明図である。
【考案を実施するための形態】
【００１０】  以下、本考案の実施形態を、説明する。
【実施例１】
【００１１】  本考案の静電容量方式タッチパネル用入力装置は、いわゆるスマートフォンと呼ばれるような静電容量方式タッチパネルを備えた携帯端末（以下、スマートフォン５と称す）に用いられる入力装置を想定している。【００１２】  本実施例では、当該スマートフォン用の入力装置を例にして説明するが、用途をこれに限定する趣旨ではなく、パソコンやｉ−Ｐａｄに代表されるようなタッチパネル方式を採用している他の装置にも使用できる。【００１３】  図１は、本考案の実施形態に係る斜視図であり、図２は、本考案の実施形態に係る側面図である。【００１４】  図１および２に示すように、本考案の静電容量方式タッチパネル用入力装置は、リング形状のものとし、伸縮性に優れ、かつ導電性のある金属製のリング１であり、さらにそのリングの一部に導電性の金属繊維製の半球突起物２を付けた形状となっている。半球突起物２がリング１に接着される部分け伸縮しない素材を用いる。リング１の幅は５ｍｍ〜１０ｍｍで成型されることが好ましい。この幅を保つことにより、入力操作時の導電性が最適に確保される。また、半球突起物２は半径５ｍｍで成型されることが好ましい。これにより静電容量方式タッチパネル６との接触面積を最適なものとすることができる。【００１５】  実施例１のリング１の構造・デザインは、図２に示すように、エバーバンド・蛇腹タイプであり、小さな板状の金属片が表側・裏側に１８枚組み合わさって構成されている。表側と裏側がコの字型のピンで連結されている。リング１の内径は、１５ｍｍから３０ｍｍまで伸縮・拡張できる。【００１６】  なお、リング１の構造・デザインは、実施例１では、上記の通りのものとなっているが、素材や、上記板状の金属片の枚数や成型方法、リング１の内径もこれに限定する趣旨ではなく、金属以外の素材を用いてもよいし、エバータイプ、エスバンド、エルミテックス型、コマ伸縮型、フレックス伸縮型としてもよい。【００１７】  図３は、本考案の静電容量方式タッチパネル用リングを指３に装着した状態を示した説明図である。親指または人差し指の第一関節手前にリング１を装着することで、静電容量方式のタッチパネルの入力時に突起物２を自然に接触・使用することになる。【００１８】  本考案の静電容量方式タッチパネル用リングは、リング１を伸縮性のある構造とすることで、使わないときは親指の根元に移動させ装飾品として扱えるため邪魔にはならず、指全体が覆われる事はないのでほかの作業に支障もない。使用時に、指の第一関節手前にずらすことで有効に使用できる。【００１９】  図４は、通常の手袋４の上からリング１を装着した状態を示している説明図であり、説明のために手袋４の内部を可視化した図となっている。静電容量方式タッチパネル用手袋で入力操作を行う場合、接触面積が広くなってしまい、文字入力が困難になりがちだが、図４のように通常の手袋４の上からリング１を装着すれば、手袋をしていない時と同じ用に簡単に入力操作が可能になる。【００２０】  また、静電容量方式タッチパネル用リングを通常の手袋４の上からはめる事で静電容量方式タッチパネル用手袋と同じ効果を得ながら、静電容量方式タッチパネル６との接触面積は半径５ｍｍ程の半球に限定���れるので、ピンポイントで文字入力が可能になる。親指につければ、従来のタッチぺンでは操作困難な、スマートフォン５を持ちながらの片手での入力・使用が可能になる。さらにリング１による機械的な締め付けにより、指３と静電容量方式タッチパネル６間の距離が安定的になり、二者間の静電容量が大きくなるので手袋４をつけていたとしても静電容量の変化を検出する静電容量方式タッチパネル６の操作性が向上する。またタッチペンと異なり、常時締め付けられているため、安定的な操作が可能になる。【００２１】  図５は、タッチパネル用指輪の使用状況を示す説明図である。半球突起物２をスマートフォン５の静電容量方式タッチパネル６に軽く接触させれば静電容量方式タッチパネル６は反応し、かつ接触面積も非常に狭いので、ピンポイントで入力することが可能である。【００２２】  本考案のである静電容量方式タッチパネル用リングを、指３の第一関節の手前に装着して、半球突起物２をスマートフォン５の静電容量方式タッチパネル６に向け、そのまま静電容量方式タッチパネル６を半球突起物２でタップしながら入力する。このリング１を指３の第一関節手前にはめる事によって、静電容量方式タッチパネル６との接触面積は半径５ｍｍ程の半球に限定され、入力ミスを防ぐことができる。【００２３】  以上、実施例１にて示したように、この静電容量方式タッチパネル用リングを使用することで、指が平らでも、太くても、爪が長くても、手袋をしていても、入力操作が楽に行うことができる。
【産業上の利用可能性】
【００２４】  いわゆるスマートフォンと呼ばれるような静電容量方式タッチパネルを備えた携帯端末に用いられる入力装置、あるいはパソコンやｉ−Ｐａｄに代表されるようなタッチパネル方式を採用している他の装置の入力装置としても利用できる。
【符号の説明】
【００２５】１    リング
２    半球突起物
３    指
４    手袋
５    スマートフォン（静電容量方式タッチパネル式携帯端末）
６    静電容量方式タッチパネル
【図１】
0003182584.tif 000003
【図２】
0003182584.tif 000004
【図３】
0003182584.tif 000005
【図４】
0003182584.tif 000006
【図５】
0003182584.tif 000007